(57)【要約】【課題】  上位監視制御装置と該上位監視制御装置の制御下にある２以上の伝送装置より構成される伝送システムにおいて、インサービス状態で通信の瞬断を発生させることなしに該伝送装置の回線対応ユニットをアップグレードする伝送システムおよび伝送システムのアップグレード方法を提供することを目的とする。【解決手段】  上位監視制御装置がアップグレードに伴う回線設定変更の制御を行う前後に、上位監視制御装置から該当する伝送装置に制御コマンドを送出し、その間、該伝送装置は回線設定部への回線設定の制御を停止状態にする。【選択図】  図１
2006005642.tif 000002
【特許請求の範囲】
【請求項１】
上位監視制御装置の回線設定制御により、冗長構成の回線により接続される伝送装置のパス単位の信号を管理し伝送する伝送システムにおいて、
該上位監視制御装置からの回線設定用のコマンドに応じて、ＲＡＭデータベース、運用側データベース、予備側データベースをアクセスし該データベースを制御するデータベースアクセス部と、
該データベースアクセス部の制御に応じて運用側データベース、予備側データベースのデータをパス単位の信号の経路を設定する回線設定部に設定するデータ制御部と、を備え、
該データ制御部は該上位監視制御装置からの回線設定用のコマンドに応じて該回線設定部への設定を停止し、該データベースアクセス部は回線のアップグレードを実施する際の回線設定データをＲＡＭデータベースに格納した後に運用側データベース、予備側データベースにコピーし、該データ制御部は予備側回線及び運用側回線のアップグレード完了後に該回線設定部に設定することを特徴とする伝送システム。
【請求項２】
上位監視制御装置の回線設定制御により、冗長構成の回線により接続される伝送装置のパス単位の信号を伝送する伝送システムの回線をアップグレードする伝送システムのアップグレード方法において、
該上位監視制御装置は回線のアップグレードを実施する伝送装置にアップグレードするための準備コマンドを送出し、
該当する伝送装置は前記の回線設定部に対する回線設定制御を停止し、該上位監視制御装置に応答コマンドを送出し、
該上位監視制御装置は回線のアップグレードを実施する伝送装置に回線のアップグレードに伴う回線設定を制御する削除コマンド、登録コマンドと登録データを送出し、登録データの送出後にアップグレードの回線設定を制御する信号の送出完了を示すコマンドを送出し、
該当する伝送装置は該上位監視制御装置からのコマンド、データによりＲＡＭデータベースのデータを更新し、
該当する伝送装置は該上位監視制御装置からの該アップグレードの送出完了を示すコマンドを受信した後に、該ＲＡＭデータベースのデータを運用側データベースと予備側データベースにコピーし、該データベースのデータを前記のデータ制御部に設定し、
該当する伝送装置は該回線設定部に対する回線設定制御の停止を解除することを特徴とする伝送システムのアップグレード方法。
【発明の詳細な説明】
【技術分野】
【０００１】
本発明は、SDH (synchronous digital hierarchy) 伝送システムもしくはSONET (synchronous optical network) 伝送システムおよび該伝送システムにおいてインサービス状態で回線対応ユニットのアップグレードを実施する方法に関する。
【背景技術】
【０００２】
基幹ネットワークの回線容量は将来のトラフィック増加を考慮して設計されているが、インターネットの普及やインターネットによる大容量データ通信の拡大により基幹ネットワークの通信帯域の不足が予測され回線容量の増強が必要になる場合がある。
【０００３】
例えば、SDH伝送システムにおいては回線速度が155.52MbpsのSTM-1 (synchronous transfer module level one) とSTM-1を４，１６，６４倍したSTM-4 (622.08Mbps), STM-16 (2488.32Mbps), STM-64 (9953.28Mbps) が標準化されており、STM-16 で構成されたネットワークの一部の回線容量が増加傾向にある場合に、その区間のSTM-16 回線をSTM-64 回線にアップグレードすることが行われる。
【０００４】
上記のように、回線のアップグレードをインサービス状態において通信エラー無しに実現することは通信サービス品質の観点から必須となっており、１つの解決策としてユニット切替処理部にユニット切替情報を転送することで、自SDH伝送装置と相手SDH伝送装置とにおいて同時にユニット切替を実行する技術が開示されている（例えば、特許文献１参照）。
【０００５】
図５は伝送システムを説明する図（１）であり、SDH もしくはSONET のリングネットワークを構成する伝送装置 1a,1b,1c,1dと、伝送装置 1a,1b,1c,1dを監視し制御する上位監視制御装置2 とにより構成されている。以降、図面において同一のものまたは類似するものについては同一の符号を記載する。
【０００６】
図６は伝送システムを説明する図（２）であり、前記の伝送装置 1aと伝送装置 1bの機能概要を、伝送装置 1aから伝送装置 1bへの方向の信号に関して示している。
【０００７】
図６において、1a,1b は伝送装置、21a,21b はＣＯＮＴ、13a,13b はＲＡＭデータベース、14a,14b は運用側データベース、15a,15b は予備側データベース、22a,22b はＬ−ＩＮＦ、23a,23b はＭＵＸ／ＤＭＵＸ、24a,24b はＴＳＡ、25a,25b はＨ−ＩＮＦ、26 は伝送装置1a と伝送装置1b を接続する回線、27 は伝送装置1d と伝送装置1a を接続する回線、28 は伝送装置1b と伝送装置1c を接続する回線である。
【０００８】
伝送装置 1aは回線信号に挿入する低速側インタフェース部Ｌ−ＩＮＦ 22aからの信号をＭＵＸ 23aにて多重し、回線制御部ＣＯＮＴ 21aからの回線設定の制御信号に基づいてパス単位に信号のタイムスロットの入れ替えを行うＴＳＡ 24aにてスイッチングを行う。ＴＳＡ（Ｗ）はワーキング（運用）側でありＴＳＡ（Ｐ）はプロテクション（非運用）側であり冗長構成を採っている。前記のスイッチングされた信号は高速側インタフェース部Ｈ−ＩＮＦ１,２ 25aにて所定の回線速度の信号フォーマットに変換され、伝送装置 1dからの回線 27中の回線に挿入されて対向の伝送装置 1bに回線 26を介して伝送される。
【０００９】
図６では片方向のみの信号を記載しているため、伝送装置 1aでは低速側から高速側への多重方向であったが、伝送装置 1bでは高速側から低速側への分離方向である。
【００１０】
伝送装置 1bは対向する伝送装置 1aから伝送される信号をＨ−ＩＮＦ１,２ 25bにて受信し、回線制御部ＣＯＮＴ 21bからの回線設定の制御信号に基づいてパス単位に信号のタイムスロットの入れ替えを行うＴＳＡ 24bにてパス単位に該当する信号をスイッチングし、ＤＭＵＸ 23bにて該スイッチングされた信号を分離し、Ｌ−ＩＮＦ 22bを介して低速側装置へ送出する。
【００１１】
前記の回線設定の制御信号は、上位監視制御装置 2が送出した回線設定のための制御信号を回線制御部ＣＯＮＴ 21a,21bが受け、回線設定のデータを運用側データベース 14a,14bに格納し、前記のＴＳＡ 24a,24bに設定する。そして、運用側データベース 14a,14bのデータは予備側データベース 15a,15bとＲＡＭデータベース 13a,13bにコピーされる。なお、運用側データベース 14a,14b、予備側データベース 15a,15bは不揮発性メモリが使用される。
【００１２】
図６において一例として、伝送装置 1a,1b,1c,1dを接続する回線はSTM-16 とし、伝送装置 1aと伝送装置 1b間の回線をSTM-64 にアップグレードする場合、Ｈ−ＩＮＦ１，２ 25aとＨ−ＩＮＦ１，２ 25bは先ずプロテクション（非運用）側のＨ−ＩＮＦ２がSTM-16 からSTM-64 に対応するインタフェース部に交換される。該交換後、ワーク（運用）系とプロテクション（非運用）系の系切替の後にプロテクション（非運用）側になったＨ−ＩＮＦ１がSTM-16 からSTM-64 に対応するインタフェース部に交換される。このアップグレードを実施する前に、回線設定データをSTM-16 の回線設定データからSTM-64 の回線設定データに変更する必要がある。この回線設定データの変更に関して以下に説明する。
【００１３】
図７は従来技術を説明する機能構成図であり、図８は従来のアップグレード作業での回線設定動作フローを説明する図である。図７、図８を用いて伝送装置 1のアップグレードにおける回線設定の制御について説明する。
【００１４】
Ｓ２１．回線設定が必要になった場合、上位監視制御装置 2は該当する伝送装置 1a,1bに対してアップグレードにおいて必要となる現状のSTM-16の回線設定データを削除する削除コマンドを送出する。
【００１５】
前記のコマンドを受信する該当の伝送装置 10のコマンド送受信部 110にて該削除コマンドを受信し、データベースアクセス部 120に通知する。
【００１６】
Ｓ２２．データベースアクセス部 120は前記の回線設定データを削除する削除コマンドに応じて、運用側データベース 140にある現状の回線設定用のデータを削除し、運用側データベース 140のデータを予備側データベース 150、ＲＡＭデータベース 130にコピーすることで現状の回線設定用のデータをデータベースから削除する。
【００１７】
Ｓ２３．データベースアクセス部 120は前記の回線設定データの削除コマンドに応じて、運用側データベース 140のデータをデータ制御部 160に設定し、それによって回線設定部170に設定されて回線設定データが削除される。
【００１８】
Ｓ２４．上位監視制御装置 2は該当する伝送装置 1a,1bに対してアップグレードにおいて必要となるアップグレードするSTM-64の回線設定データを登録する登録コマンド、登録データを送出する。
【００１９】
Ｓ２５．データベースアクセス部 120は受信した回線設定の登録コマンド、登録データに応じて新たな回線設定データを運用側データベース 140に登録し、運用側データベース 140のデータを予備側データベース 150、ＲＡＭデータベース 130にコピーすることで回線設定データをデータベースに登録する。
【００２０】
Ｓ２６．データベースアクセス部 120は前記の回線設定データの登録コマンドに応じて、運用側データベース 140のデータをデータ制御部 160に設定し、それによって回線設定部170に設定されて回線設定データが更新される。
【特許文献１】特開平７−２４０７３２号公報
【発明の開示】
【発明が解決しようとする課題】
【００２１】
以上記載したように、伝送装置の回線容量を増加すべくアップグレードする場合、上位監視制御装置から該当する伝送装置への回線設定の制御において、該伝送装置は該上位監視制御装置から現状の回線設定データの削除コマンド、新たに設定するための回線設定登録コマンドそして新たな回線設定データの設定の制御を受ける。そのため、該削除コマンドによって回線設定データを格納するデータベースの回線設定データとパス信号の経路を設定する回線設定部の現状の回線設定データが削除されることになり、新たな回線設定データが設定されるまでの間、通信の瞬断が生じることとなる。
【００２２】
本発明は、上位監視制御装置と該上位監視制御装置の制御下にある２以上の伝送装置より構成される伝送システムにおいて、インサービス状態で通信の瞬断を発生させることなしに伝送装置の回線対応ユニットをアップグレードする伝送システムおよび伝送システムのアップグレード方法を提供することを目的とする。
【課題を解決するための手段】
【００２３】
第一の発明は、上位監視制御装置の回線設定制御により、冗長構成の回線により接続される伝送装置のパス単位の信号を管理し伝送する伝送システムにおいて、
該上位監視制御装置からの回線設定用のコマンドに応じて、ＲＡＭデータベース、運用側データベース、予備側データベースをアクセスし該データベースを制御するデータベースアクセス部と、該データベースアクセス部の制御に応じて運用側データベース、予備側データベースのデータをパス単位の信号の経路を設定する回線設定部に設定するデータ制御部を備え、該データ制御部は該上位監視制御装置からの回線設定用のコマンドに応じて該回線設定部への設定を停止し、該データベースアクセス部は回線のアップグレードを実施する際の回線設定データをＲＡＭデータベースに格納した後に運用側データベース、予備側データベースにコピーし、該データ制御部は予備側回線及び運用側回線のアップグレード完了後に該回線設定部に設定することを特徴とする伝送システムである。
【００２４】
第一の発明によれば、通信の瞬断を伴うことなしに伝送装置の回線容量を増加すべく伝送装置の回線対応ユニットをアップグレードする伝送システムを提供することが可能となる。
【００２５】
第二の発明は、上位監視制御装置の回線設定制御により、冗長構成の回線により接続される伝送装置のパス単位の信号を伝送する伝送システムの回線をアップグレードする伝送システムのアップグレード方法において、
該上位監視制御装置は回線のアップグレードを実施する伝送装置にアップグレードするための準備コマンドを送出し、該当する伝送装置は前記の回線設定部に対する回線設定制御を停止し、該上位監視制御装置に応答コマンドを送出し、該上位監視制御装置は回線のアップグレードを実施する伝送装置に回線のアップグレードに伴う回線設定を制御する削除コマンド、登録コマンドと登録データを送出し、登録データの送出後にアップグレードの回線設定を制御する信号の送出完了を示すコマンドを送出し、該当する伝送装置は該上位監視制御装置からのコマンド、データによりＲＡＭデータベースのデータを更新し、該当する伝送装置は該上位監視制御装置からの該アップグレードの送出完了を示すコマンドを受信した後に、該ＲＡＭデータベースのデータを運用側データベースと予備側データベースにコピーし、該データベースのデータを前記のデータ制御部に設定し、該当する伝送装置は該回線設定部に対する回線設定制御の停止を解除することを特徴とする伝送システムのアップグレード方法である。
【００２６】
第二の発明によれば、ハードウェアの変更をせずに通信の瞬断を伴うことなしに伝送装置の回線容量を増加すべく伝送装置の回線対応ユニットをアップグレードする伝送システムのアップグレード方法を提供することが可能となる。
【発明の効果】
【００２７】
本発明の伝送システムおよび伝送システムのアップグレード方法は、インサービス状態で伝送装置の回線容量を増加すべく回線対応部分をアップグレードする場合に、上位監視制御装置がアップグレードに伴う回線設定変更の制御を行う前後に、上位監視制御装置から該当する伝送装置にコマンドを送出し、その間、該伝送装置は回線設定を制御停止状態にすることにより、既存の伝送装置ハードウェアの変更をせずに、そして通信の瞬断を伴うことなしに該伝送装置の回線容量を増加すべく伝送装置の回線対応ユニットをアップグレードすることが可能となる。
【発明を実施するための最良の形態】
【００２８】
以降、図面を併用して本発明の詳細、伝送装置の回線容量を増加すべくアップグレードする場合の伝送システムの動作について説明する。なお、図面において同一のものまたは類似するものについては同一の符号を記載している。
【実施例１】
【００２９】
図１は本発明の動作を説明する機能構成図であり、回線設定機能に関係する機能概要を示している。1 は伝送装置、2 は上位監視制御装置、11 はコマンド送受信部、12 はデータベースアクセス部、13 はＲＡＭデータベース、14 は運用側データベース、15 は予備側データベース、16 はデータ制御部、17 は回線設定部である。なお、コマンド送受信部 11、データベースアクセス部 12、ＲＡＭデータベース 13、運用側データベース 14、予備側データベース 15、データ制御部 16は図６の回線制御部ＣＯＮＴ 21a,21bが有する機能である。
【００３０】
図２は本発明の動作を説明する伝送装置の状態図であり、伝送装置 1の回線容量を増加すべくアップグレードする場合の伝送装置 1のハード（回線対応ユニット）の回線設定状態とデータベースの回線設定状態を、（Ａ）アップグレード前、（Ｂ）アップグレードのための回線設定完了、（Ｃ）非運用側の回線対応部を交換、（Ｄ）運用系切替、（Ｅ）新たな非運用側の回線対応部を交換しアップグレード完了、の各状態について示している。
【００３１】
図３、図４は本発明のシステム動作フローを説明する図（1/2）、（2/2）であり、伝送装置の回線容量を増加すべく伝送装置の回線対応ユニットをアップグレードする場合の上位監視制御装置 2と該当する伝送装置 1（例えば1a,1b の様に対向する伝送装置）の動作フローを示している。
【００３２】
伝送装置 1の回線容量を増加すべく伝送装置の回線対応ユニットをアップグレードする場合、保守者は新たな回線設定情報を作成し、上位監視制御装置 2に該回線設定情報を投入する。
【００３３】
アップグレードする前の伝送装置 1の状態は図２（Ａ）の状態、つまりハード（回線対応ユニットＨ−ＩＮＦ１，Ｈ−ＩＮＦ２）の回線設定状態は運用系、非運用系共にSTM-16 であり、データベースも運用側、非運用側共にSTM-16 である。
【００３４】
Ｓ１．保守者は上位監視制御装置 2よりアップグレードする伝送装置 1（例えば1a,1b の様に対向する伝送装置）に対してアップグレード制御を実施するために必要な準備を行うためのアップグレード準備コマンドを送出する。
【００３５】
Ｓ２．該アップグレード準備コマンドを受信した伝送装置 1のコマンド送受信部 11は該アップグレード準備コマンドをデータベースアクセス部 12に通知し、データベースアクセス部 12は運用側データベース 14のデータを予備側データベース 15とＲＡＭデータベース 13にコピーする。
【００３６】
Ｓ３．データベースアクセス部 12はデータ制御部 16に対する回線設定の制御を停止する。該回線設定の制御停止によりデータ制御部 16から回線設定部 17への回線設定の制御が停止する。
【００３７】
Ｓ４．データ制御部 16の回線設定部 17への回線設定の制御停止により、コマンド送受信部 11は上位監視制御装置 2に対してアップグレード制御が可能な状態になったことを通知するアップグレード準備成功通知を送出する。
【００３８】
Ｓ５．上位監視制御装置 2はステップＳ１の該当する伝送装置 1から該アップグレード準備成功通知を受信したならば、該当する伝送装置 1に対して現状設定されているSTM-16 の回線設定データを削除する削除コマンドを送出する。
【００３９】
Ｓ６．該削除コマンドを受信した伝送装置 1のコマンド送受信部 11は該削除コマンドをデータベースアクセス部 12に通知し、データベースアクセス部 12はＲＡＭデータベース 13の回線設定データを削除し、ＲＡＭデータベース 13のデータを運用側データベース 14と予備側データベース 15にコピーする。
【００４０】
Ｓ７．上位監視制御装置 2はステップＳ５の実行後にステップＳ５の該当する伝送装置 1に対してアップグレードするSTM-64 の回線設定データの登録コマンドと登録データ（回線設定データ）を送出する。
【００４１】
Ｓ８．該登録コマンドと登録データを受信した伝送装置 1のコマンド送受信部 11は該登録コマンドと登録データをデータベースアクセス部 12に通知し、データベースアクセス部 12はＲＡＭデータベース 13に登録データを登録し、ＲＡＭデータベース 13の回線設定データを運用側データベース 14と予備側データベース 15にコピーする。
【００４２】
Ｓ９．データベースアクセス部 12は運用側データベース 14の回線設定データと予備側データベース 15の回線設定データをデータ制御部 16に設定する。
【００４３】
ステップＳ８，Ｓ９の処理により、伝送装置 1の状態は図２の（Ｂ）の状態、つまりハード状態はSTM-16 、データベース状態はSTM-64 になり、回線データはステップＳ３の処理によって回線設定部 17への回線設定の制御が停止しているので該当する伝送装置間の通信はSTM-16 の回線で確保されている。
【００４４】
Ｓ１０．上位監視制御装置 2から伝送装置 1に対するアップグレードに伴う回線設定制御が完了したため、上位監視制御装置 2はステップＳ７の実行後にステップＳ７の該当する伝送装置 1に対してアップグレード設定完了コマンドを送出する。
【００４５】
Ｓ１１．該アップグレード設定完了コマンドを受信した伝送装置 1のコマンド送受信部 11は該アップグレード設定完了コマンドをデータベースアクセス部 12に通知し、データベースアクセス部 12はデータ制御部 16に対する回線設定の制御停止を解除する。該回線設定の制御停止解除によりデータ制御部 16から回線設定部 17への回線設定の制御が再開される。
【００４６】
Ｓ１２．保守者は伝送装置 1の非運用（プロテクション）側のＨ−ＩＮＦ２（Ｐ）（図６の25a）をSTM-16 の回線対応ユニットからSTM-64 の回線対応ユニットに交換する。
【００４７】
ステップＳ１２の作業により伝送装置 1の状態は図２の（Ｃ）の状態、つまりハード状態は非運用側のＨ−ＩＮＦ２はSTM-64となり、回線設定部 17の非運用側の回線設定データはステップＳ１２にてSTM-64 の回線対応ユニットが伝送装置 1に実装された時点でデータ制御部 16から回線設定部 17に設定される。
【００４８】
Ｓ１３．保守者は該当する伝送装置 1にてステップＳ１２の作業が完了した後に、該当する伝送装置 1の回線対応部Ｈ−ＩＮＦ１とＨ−ＩＮＦ２の運用系の強制切替を行うための切替コマンドを該当する伝送装置 1に送出する。
【００４９】
Ｓ１４．該切替コマンドを受信した伝送装置 1のコマンド送受信部 11は回線対応部Ｈ−ＩＮＦ１とＨ−ＩＮＦ２の系切替を実行する。
【００５０】
ステップＳ１４の作業により伝送装置 1の状態は図２の（Ｄ）の状態、つまり回線対応部Ｈ−ＩＮＦ２の系が非運用から運用系に、Ｈ−ＩＮＦ１の系が運用から非運用系に切り替わる。この場合、伝送装置 1はパス単位に回線設定されておりパス単位の系切替を実施するため、無瞬断切替機能を有する伝送装置 1では通信の瞬断を伴うことなく系切替を実現できる。
【００５１】
Ｓ１５．保守者はステップＳ１２と同様に、伝送装置 1の新たに非運用側になったＨ−ＩＮＦ１（図６の25a）をSTM-16 の回線対応ユニットからSTM-64 の回線対応ユニットに交換する。
【００５２】
ステップＳ１５の作業により伝送装置 1の状態は図２の（Ｅ）の状態、つまりハード状態は運用、非運用側共にSTM-64となり、回線設定部 17の回線設定データはステップ Ｓ１５にてSTM-64 の回線対応ユニットが伝送装置 1に実装された時点でデータ制御部 16から回線設定部 17に設定される。
【００５３】
上記の一連の動作、作業により伝送装置 1の回線対応ユニットはSTM-16 からSTM-64 にアップグレードすることができる。
【図面の簡単な説明】
【００５４】
【図１】本発明の動作を説明する機能構成図
【図２】本発明の動作を説明する伝送装置の状態図
【図３】本発明のシステム動作フローを説明する図（1/2）
【図４】本発明のシステム動作フローを説明する図（2/2）
【図５】伝送システムを説明する図（１）
【図６】伝送システムを説明する図（２）
【図７】従来技術を説明する機能構成図
【図８】従来のアップグレード作業での回線設定動作フローを説明する図
【符号の説明】
【００５５】
１，１ａ，１ｂ，１ｃ，１ｄ，１０    伝送装置
２    上位監視制御装置
１１，１１０    コマンド送受信部
１２，１２０    データベースアクセス部
１３，１３ａ，１３ｂ，１３０    ＲＡＭデータベース
１４，１４ａ，１４ｂ，１４０    運用側データベース
１５，１５ａ，１５ｂ，１５０    予備側データベース
１６，１６０    データ制御部
１７，１７０    回線設定部
２１ａ，２１ｂ    ＣＯＮＴ
２２ａ，２２ｂ    Ｌ−ＩＮＦ
２３ａ，２３ｂ    ＭＵＸ／ＤＭＵＸ
２４ａ，２４ｂ    ＴＳＡ
２５ａ，２５ｂ    Ｈ−ＩＮＦ
２６，２７，２８    回線
１１０    コマンド送受信部
【図１】
2006005642.tif 000003
【図２】
2006005642.tif 000004
【図３】
2006005642.tif 000005
【図４】
2006005642.tif 000006
【図５】
2006005642.tif 000007
【図６】
2006005642.tif 000008
【図７】
2006005642.tif 000009
【図８】
2006005642.tif 000010